(57)【要約】【課題】    テープを切断する際に切断部に加わる力によってテープカッターがずれ動きにくく、例えば机から床に移動してテープ貼り作業をしたい場合に気軽に持ち運べ、ロール状テープの中心穴の空間が有効利用されているものが欲しい。【解決手段】  ロール状テープ（１）の中心穴（２）を通り更に延ばされた先に底（７）を備える筒状部（８）の底（７）付近に備えられる接地部（１１）と、ロール状テープ（１）の外周（２５）付近に備えられる接地部（１２）によって安定接地させ、且つ筒状部（８）の内側を小物入れにする。【選択図】         図１
2011111236.tif 000002
【特許請求の範囲】
【請求項１】
ロール状テープを回転自在且つ着脱自在に支持する支持部と、
前記ロール状テープから引き出されたテープを切断する切断部と、
装着された前記ロール状テープの中心穴を通り更に延ばされた先に底を備える筒状部と、
前記底付近に備えられる第１接地部と、
装着された前記ロール状テープの外周付近に備えられる第２接地部と、
を具備し、
前記第１接地部及び前記第２接地部を水平面の上に接地させた安定状態において、前記筒状部の前記底とは逆側の開口から小物を挿入し前記筒状部の内側に収納できる、
テープカッター。
【請求項２】
前記安定状態において、前記底よりも前記開口の方が前記水平面から遠い、
請求項１に記載のテープカッター。
【請求項３】
何も収納していない状態の前記筒状部の内周に対して、前記テープカッターと同一構造のテープカッターの筒状部の外周を嵌合自在である、
請求項１から請求項２のいずれかに記載のテープカッター。
【発明の詳細な説明】
【技術分野】
【０００１】
本発明は、テープカッターに関する。
【背景技術】
【０００２】
テープカッターにおいては、特許文献１の実施例のように、ロール状テープを回転自在且つ着脱自在に支持する支持部と、ロール状テープから引き出されたテープを切断する切断部と、ペン等を差し込み保管する為に上方に開口した空間とを備えるものが知られている。
【０００３】
また、テープカッターにおいては、特許文献２の実施例のように、机の天板を挟んで固定するタイプの電気スタンドのクランプによって天板と共に挟み込まれる板状部材と、板状部材から上方に延び開口した円筒と、板状部材から上方に延びる切断部とを備え、円筒の外周でロール状テープの中心穴を回転自在に支持し、ロール状テープから引き出されたテープを切断部で切断可能であり、円筒の内側にペン等を差し込み保管することが可能なアイデアが知られている。
【先行技術文献】
【特許文献】
【０００４】
【特許文献１】特開２００８−０９４６１３号公報
【特許文献２】特開２００２−００２１８３号公報
【発明の概要】
【発明が解決しようとする課題】
【０００５】
テープカッターにおいては、テープを切断する際に切断部に加わる力によってテープカッターがずれ動きにくいようなアイデアが求められており、特許文献１の実施例のように大きく重いテープカッターとするアイデアや、特許文献２の実施例のように机の天板等に固定してしまうアイデアが知られているが、これらのアイデアでは例えば机から床に移動してテープ貼り作業をしたい場合に気軽に持ち運べない。また、前者ではロール状テープの中心穴の空間が有効利用されていない。また、後者では電気スタンドのクランプが机の天板の作業者が手の届きやすい位置になければいけないというかなり限られた条件と、テープを切断する際に力を加える方向が、天板に対して水平方向でありクランプから板状部材が外れやすく、且つ作業者の手が力を発生させにくい方向であると考えられる。
【０００６】
また、特許文献１の実施例や特許文献２の実施例は、サイズが大きいので保管や輸送コストが比較的高くなることが考えられる。また、色や材質の異なるロール状テープを使い分けたい場合、机上にとても広いスペースが必要になってしまう。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るテープカッターは、例えば図１から図４のように、
ロール状テープ１を回転自在且つ着脱自在に支持する支持部３と、
ロール状テープ１から引き出されたテープ４を切断する切断部５と、
装着されたロール状テープ１の中心穴２を通り更に延ばされた先に底７を備える筒状部８と、
底７付近に備えられる接地部１１と、
装着されたロール状テープ１の外周２５付近に備えられる接地部１２と、
を具備し、
接地部１１及び１２を水平面１３の上に接地させた図１及び図２のような安定状態において、筒状部８の底７とは逆側の開口１４から小物を挿入し筒状部８の内側１５に収納できる、テープカッターである。
【０００９】
ここで、前記小物とは、例えば用紙を挟むクリップ、輪ゴム、消しゴム、印鑑、又はコンピュータ用の棒状の記憶装置、等である。
【００１０】
発明２に係るテープカッターは、発明１のテープカッターの前記安定状態において、
底７よりも開口１４の方が水平面１３から遠い、テープカッターである。
【００１１】
発明３に係るテープカッターは、発明１から発明２のいずれかのテープカッターにおいて、
何も収納していない状態の筒状部８の内周１５に対して、図４のようにテープカッター５０と同一構造のテープカッター５１の筒状部の外周を嵌合自在な、テープカッターである。
【発明の効果】
【００１２】
以上のように本発明では、接地部１１及び１２が十分に離れていることで、テープ４を切断する際に切断部５に加わる力を安定して受け止めることが出来るので、比較的軽量であってもテープカッター５０がずれ動きにくく、且つテープカッター５０の持ち運びが容易となる。
加えて、ロール状テープ１の中心穴２の空間が小物入れとして有効利用され、小物入れの機能が追加されているのに比較的小型であるので、作業者が作業しやすい場所に置いても他の作業の邪魔になりにくい。
加えて、テープ４を切断する際に作業者の手が力を加えやすい方向になるような設計が容易となる。
【００１３】
また発明２では、本発明の効果に加えて、開口１４から小物を乱雑に入れた際、小物が開口１４から飛び出してくるというようなことが起こりにくくなる。
【００１４】
また発明３では、本発明の効果に加えて、図４のような嵌合状態にすることで保管や輸送コストを低くする工夫が出来る。
加えて、ロール状テープ１及び２６を使い分けたい場合、机上のスペースを節約できる。
【図面の簡単な説明】
【００１５】
【図１】第１実施形態の正面図
【図２】第１実施形態の左側面図（一部破断面図）
【図３】第１実施形態の組立図
【図４】テープカッター５０及び５１の嵌合状態を表した図
【発明を実施するための形態】
【００１６】
本発明の第１実施形態を図１から図４に基づいて説明する。
【００１７】
中心線１６に沿って先に向かって僅かに細くなる円筒形状の先に中空半球形状の底７が有る筒状部８の開口１４の縁にはフランジ１７が設けられており、フランジ１７の縁には薄いゴム状の足が接地部１２の接地点１８及び１９として貼り付けられている。また、底７の縁付近が接地部１１の接地点となり、接地点１８及び１９と共に３点接地して安定状態となり、このとき水平面１３に対して中心線１６は傾斜し、そのなす角は約２１度となっており、底７よりも開口１４の方が水平面１３から遠くなっている。
また、ロール状テープ１は透明フィルムに粘着剤を塗布したテープを芯材となる厚紙製の円筒部材に巻き回したものであり、このロール状テープ１の中心穴２は芯材の中心穴でもある。
また、円筒形状の筒状部２１の一端の縁にはフランジ２０が設けられており、フランジ２０の縁から筒状部２１に沿う方向にノコギリ状の刃を備える切断部５が設けられており、図３のような状態から、筒状部２１の外周にロール状テープ１の内周６が隙間嵌合され、引き出されたテープ４の先端部が切断部５に貼り付けられ、筒状部２１の内周が筒状部８の外周９に僅かな摩擦力を伴って嵌合され、水平面１３に接地部１１及び１２を接地させることで図１及び図２のような安定状態となる。この安定状態でロール状テープ１の回転中心軸線は中心線１６とおよそ同心であり、水平面１３に対して傾斜した刃に対して、更に引き出したテープ４に鉛直下向きの力を加え押し当てることでテープ４の開口１４側に刃からの反力が集中し、作業者の手がテープ４に力を加える方向が自然でテープカッター５０が安定しながら軽い力で切断できる。また、ロール状テープ１を挟んで切断部５の逆側にも切断部１０が設けられており、利き腕の違いや開口１４を作業者に対してどのような方向に向けるかによって、切断部５及び１０を使い分ければよい。
また、支持部３の筒状部２１の外周でロール状テープ１のラジアル方向を、支持部３のフランジ１７及び２０の内側でスラスト方向を支持している。ここで例えば、筒状部２１を取り去って筒状部８の外周９に支持させるような構造や、筒状部８及び２１を一体成形して筒状部８とし、フランジ１７を着脱自在とするような構造や、筒状部８を輪切りに二分割し切り口の縁に嵌合構造を設け、フランジ１７側の外周９にロール状テープ１のラジアル方向を支持させ、底７側の切り口の縁に筒状部２１を取り去ったフランジ２０を一体成形するような構造や、筒状部８及び２１を一体成形して筒状部８とし、フランジ１７を取り去ってフランジ２０の縁に接地部１２の接地点を設けるような構造が考えられるが、フランジ１７及び２０を備える構造であればロール状テープ１の粘着剤に付着するホコリの侵入防止になるので理想的である。
また、開口１４に開閉自在又は着脱自在な蓋を設けてもよいだろう。
【００１８】
また、筒状部８が先に向かって僅かに細くなる筒形状であることから、図４のようにテープカッター５０の筒状部８の内周１５に、同一構造のテープカッター５１の筒状部の外周を隙間嵌合させることでスタッキング自在であり、２種類のロール状テープ１及び２６を使い分けたい場合に便利である。また例えば、テープカッター５１の筒状部の外周に傷防止のフィルムを被せてから筒状部８に挿入すれば、全体としてコンパクトになり、製品や部品状態での保管や輸送コストが削減できるだろう。
【符号の説明】
【００１９】
１,２６.                             ロール状テープ
２.                                      中心穴
３.                                      支持部
４.                                      テープ
５,１０.                             切断部
６,１５.                             内周
７.                                      底
８,２１.                             筒状部
９,２５.                             外周
１１,１２.                         接地部
１３.                                  水平面
１４,２４.                         開口
１６.                                  中心線
１７,２０,２２,２３.       フランジ
１８,１９.                         接地点
５０,５１.                         テープカッター
【図１】
2011111236.tif 000003
【図２】
2011111236.tif 000004
【図３】
2011111236.tif 000005
【図４】
2011111236.tif 000006